(57)【特許請求の範囲】
【請求項１】
コネクタが実装されたプリント基板と、
前記プリント基板を収容するカバーと、
を備え、前記カバーは、筐体への挿入時には前記コネクタを露出し、単体状態では前記コネクタを覆い、
前記カバーには、リンクバーが設けられ、
前記プリント基板には、前記コネクタを露出する際に位置決めするための第１の溝と、前記コネクタを覆う際に位置決めするための第２の溝とが設けられ、
前記筐体への挿入時、前記リンクバーが前記第１の溝に嵌合することで、前記コネクタが前記カバーから露出する位置に前記プリント基板が固定され、
前記単体状態となる場合は、前記リンクバーが前記第２の溝に嵌合することで、前記コネクタが前記カバーで覆われる位置に前記プリント基板が固定される、
ことを特徴とするプラグインユニット。
【請求項２】
前記カバーには、前記プリント基板が摺動可動する可動溝と、前記リンクバーを摺動可動する誘導レールと、カードレバーとが設けられ、
前記カバー内を前記プリント基板が摺動して、前記プリント基板への前記リンクバーの嵌合位置が調整され、
前記カードレバーの操作により、前記カードレバーに連動して前記リンクバーが前記プリント基板に嵌合する、
ことを特徴とする請求項１記載のプラグインユニット。
【請求項３】
前記筐体への挿入時、前記カードレバーが一方向へ動くことで、前記第２の溝に嵌合していた前記リンクバーが前記誘導レールに沿って摺動して前記プリント基板から離れ、
前記プリント基板が前記筐体への挿入方向へ前記可動溝を摺動し、
前記カードレバーが他方向へ動くことで、前記リンクバーが前記誘導レールに沿って摺動して前記第１の溝に嵌合する、
ことを特徴とする請求項２記載のプラグインユニット。
【請求項４】
前記単体状態となる場合は、前記カードレバーが一方向へ動くことで、前記第１の溝に嵌合していた前記リンクバーが前記誘導レールに沿って摺動して前記プリント基板から離れ、
前記プリント基板が前記筐体への挿入方向とは反対方向へ前記可動溝を摺動し、
前記カードレバーが他方向へ動くことで、前記リンクバーが前記誘導レールに沿って摺動して前記第２の溝に嵌合する、
ことを特徴とする請求項２記載のプラグインユニット。
【発明の詳細な説明】
【技術分野】
【０００１】
本発明は、筐体に搭載されるプラグインユニットに関する。
【背景技術】
【０００２】
プラグインユニット（ＰＩＵ：Plug−In Unit）は、電子部品が実装されるプリント基板であるプリントワイヤリングボード（ＰＷＢ：Printed Wiring Board）と、コネクタとを備えたプリント配線板ユニットである。
【０００３】
ＰＷＢに実装されるコネクタは、筐体の配線板であるバックボード側のコネクタと嵌合させるために、ＰＷＢの端部から突出した形態を有している。また、ＰＷＢへのコネクタの実装は、一般的にプレスフィット（ＰＦ：Press Fit）と呼ばれる方式で接合が行われることが多い。
【０００４】
ＰＦ方式は、ＰＷＢのスルーホールに、スルーホール径よりも巾の大きいコネクタ端子を圧入し、コネクタ端子およびスルーホールを変形させて、ＰＷＢとコネクタ端子間との機械的な接合により、電気的接続を得るものである。
【０００５】
ＰＦ方式は、半田付け接合よりも強度的には弱い面があるが、一括圧入によりコネクタをＰＷＢに実装することができるので、半田付け接合よりも主流になってきている。
一方、プラグインユニットは、取り扱いに関する顧客要求により、単体での落下に耐えうる強度を保有していることが求められる。このため、出荷前には落下評価が行われ、規定の高さから落下させても、コネクタおよびＰＷＢとコネクタとの接合部分に関して、機械損傷や電気的特性の劣化が無いことが求められている。
【０００６】
弾性保持部材によって衝撃を和らげるプリント配線板が提案されている。
【先行技術文献】
【特許文献】
【０００７】
【特許文献１】特開２００６−２１６９０８号公報
【発明の概要】
【発明が解決しようとする課題】
【０００８】
近年の通信ネットワークの伝送容量の増大および高速化に伴い、大容量の信号を処理できる、大型で重量の重い通信モジュールを実装するプラグインユニットが増えてきている。
【０００９】
また、高速信号を処理するための通信モジュールもプラグインユニットには複数実装されて、消費電力が大きくなっており、消費電力の大きな通信モジュールを冷却するために、大型のヒートシンクがプラグインユニットに実装されるケースも増えている。
【００１０】
このように、プラグインユニットの重量は重くなる傾向にあり、ＰＦ方式で接合されたコネクタ部（コネクタおよびＰＷＢとコネクタとの接合部分）に関する落下衝撃時の破損が懸念されている。このような状況において、コネクタ部を落下等の衝撃から保護する構造を備えたプラグインユニットが要望されている。
【００１１】
本発明はこのような点に鑑みてなされたものであり、コネクタ部を衝撃から保護する構造を備えたプラグインユニットを提供することを目的とする。
【課題を解決するための手段】
【００１２】
上記課題を解決するために、プラグインユニットが提供される。プラグインユニットは、コネクタが実装されたプリント基板と、前記プリント基板を収容するカバーと、を備え、前記カバーは、筐体への挿入時には前記コネクタを露出し、単体状態では前記コネクタを覆い、前記カバーには、リンクバーが設けられ、前記プリント基板には、前記コネクタを露出する際に位置決めするための第１の溝と、前記コネクタを覆う際に位置決めするための第２の溝とが設けられ、前記筐体への挿入時、前記リンクバーが前記第１の溝に嵌合することで、前記コネクタが前記カバーから露出する位置に前記プリント基板が固定され、前記単体状態となる場合は、前記リンクバーが前記第２の溝に嵌合することで、前記コネクタが前記カバーで覆われる位置に前記プリント基板が固定される。
【発明の効果】
【００１３】
コネクタ部を衝撃から保護することが可能になる。
【図面の簡単な説明】
【００１４】
【図１】プラグインユニットの外観を示す図である。
【図２】プラグインユニットの内部構造を示す図である。
【図３】プラグインユニットの内部構造を示す図である。
【図４】筐体にプラグインユニットが実装されている状態を示す図である。
【図５】シェルフの内部構造を示す図である。
【図６】ＰＷＢストッパを示す図である。
【図７】リンクバーによる位置決めを説明するための図である。
【図８】プラグインユニットの初期状態を示す図である。
【図９】プラグインユニットの初期状態を示す図である。
【図１０】カードレバーを上げてリンクバーを持ち上げた状態を示す図である。
【図１１】カードレバーを上げてリンクバーを持ち上げた状態を示す図である。
【図１２】リンクバーが溝から離れた状態を示す図である。
【図１３】プラグインユニットのシェルフへの挿入状態を示す図である。
【図１４】プラグインユニットのシェルフへの挿入状態を示す図である。
【図１５】プラグインユニットのシェルフへの挿入状態を示す図である。
【図１６】プラグインユニットのシェルフへの挿入状態を示す図である。
【図１７】プラグインユニットのシェルフへの挿入状態を示す図である。
【図１８】プラグインユニットのシェルフへの挿入状態を示す図である。
【図１９】シェル内のＰＷＢの移動の状態を示す図である。
【図２０】ＰＷＢ側コネクタをシェルから突出させる場合の動作を示すフローチャートである。
【図２１】ＰＷＢ側コネクタをシェル内に収める場合の動作を示すフローチャートである。
【図２２】コネクタ嵌合する前の状態を示す図である。
【図２３】コネクタ嵌合時のカードレバーの状態を示す図である。
【図２４】プラグインユニットがＢＷＢに嵌合したときの状態を示す図である。
【図２５】プラグインユニットがＢＷＢに嵌合したときの状態を示す図である。
【発明を実施するための形態】
【００１５】
以下、本発明の実施の形態を図面を参照して説明する。図１はプラグインユニットの外観を示す図であり、図２、図３はプラグインユニットの内部構造を示す図である。プラグインユニット１は、プリント基板（以下、ＰＷＢと呼ぶ）２０と、ＰＷＢ２０を収容するカバー（以下、シェルと呼ぶ）１０を有している。
【００１６】
シェル１０の上部には、リンクバー１１が設けられ、リンクバー１１をガイドするための誘導レール１３の孔が側面に設けられて、誘導レール１３の孔にリンクバー１１の一端が嵌っている。
【００１７】
また、カードレバー１２がシェル１０に取り付けられている。カードレバー１２は、シェル１０の取付位置を軸に上下方向に可動し、カードレバー１２に連動してリンクバー１１の一端が誘導レール１３に沿って移動する（後述する）。
【００１８】
シェル１０内部の上面および下面には、ＰＷＢ可動溝１４が設けられ、上面または下面の少なくとも一方には、ＰＷＢストッパ１４ａが設けられる。ＰＷＢ２０は、シェル１０内をＰＷＢ可動溝１４に沿って、矢印方向にスライドする。
【００１９】
ただし、図２、図３では、リンクバー１１がＰＷＢ２０の後述する溝に入り込んでいる場合を示しており、ＰＷＢ２０は、シェル１０内で位置決めされて、スライドしない状態を示している（リンクバー１１と溝との関連動作については後述する）。
【００２０】
一方、ＰＷＢ２０の前端部には、フロントパネル２２が固定して設けられ、後端部には、筐体の配線板と接続するためのＰＷＢ側コネクタ２１が実装されている。なお、シェル１０は、ＰＷＢ２０およびＰＷＢ側コネクタ２１を覆う十分な面積を有している。
【００２１】
次にプラグインユニット１の筐体への搭載状態について説明する。図４は筐体にプラグインユニットが実装されている状態を示す図である。筐体（以下、シェルフと呼ぶ）３０に５枚のプラグインユニット１−１〜１−５が実装されている状態を示している。
【００２２】
なお、図には示さないが、シェルフ３０には、ファン（Fan）および排気口が設置されており、ファンからの送風によって、ＰＷＢ２０上に実装されている電子部品の冷却が行われる。
【００２３】
また、プラグインユニット１のシェルフ３０への搭載時、フロントパネル２２によって、シェルフ３０は、適切な密閉性を得ることができるので、ファンからの送風の外部漏れを抑制して、効率よく電子部品を冷却することができる。
【００２４】
図５はシェルフの内部構造を示す図である。シェルフ３０内部の上面および下面には、プラグインユニット１の挿入位置を決めるためのスロットレール３２が設けられている。また、プラグインユニット１が挿入される反対側の面には、配線板であるバックワイヤリングボード（ＢＷＢ：Back Wiring Board）３０ａが設けられ、ＢＷＢ３０ａ上にはＢＷＢ側コネクタ３１が実装される。
【００２５】
プラグインユニット１は、シェルフ３０への搭載時、スロットレール３２に沿ってスライド挿入される。そして、ＰＷＢ２０に実装されているＰＷＢ側コネクタ２１と、ＢＷＢ３０ｃに実装されているＢＷＢ側コネクタ３１とが嵌合されて電気的接続を得る。
【００２６】
図６はＰＷＢストッパを示す図である。シェル１０には、ＰＷＢ可動溝１４が設けられ、ＰＷＢ可動溝１４の一端側にはＰＷＢストッパ１４ａが設けられている。
ＰＷＢ２０は、ＰＷＢ可動溝１４に沿ってスライド動作を行うが、ＰＷＢストッパ１４ａが設置されることによって、ＰＷＢストッパ１４ａの位置を超えてのスライド動作が制限される構造になっている。
【００２７】
このように、ＰＷＢストッパ１４ａを適切な位置に設けておくことで、ＰＷＢ２０をシェル１０内で所定の距離だけスライド動作させることが可能になる。また、不要ながたつきの発生を抑制することが可能になる。
【００２８】
次にリンクバー１１によってＰＷＢ２０がシェル１０内で位置決めされる際の動作について説明する。図７はリンクバーによる位置決めを説明するための図である。ＰＷＢ２０の上端部には、２つの溝２０ａ（第１の溝）と、溝２０ｂ（第２の溝）とが設けられている。また、リンクバー１１の一端は、くの字型に曲がる形状になっており、該形状部分には、ピンｐ１、ｐ２が設けられている。
【００２９】
リンクバー１１のピンｐ１は、誘導レール１３の孔に嵌り、誘導レール１３に沿って、リンクバー１１をスライドさせる。また、リンクバー１１のピンｐ２は、溝２０ａまたは溝２０ｂのいずれかに嵌って、ＰＷＢ２０に係合することで、ＰＷＢ２０をシェル１０内で係止（固定）して、ＰＷＢ１０をシェル１０内で位置決めする。
【００３０】
リンクバー１１のピンｐ２が溝２０ａに嵌るときは、ＰＷＢ側コネクタ２１とＢＷＢ側コネクタ３１とが嵌合するときの状態である。すなわち、ＰＷＢ側コネクタ２１がシェル１０から露出した状態であり、プラグインユニット１のシェルフ３０への搭載時には、リンクバー１１は、溝２０ａに嵌合する。
【００３１】
一方、リンクバー１１が溝２０ｂに嵌るときは、ＰＷＢ側コネクタ２１がシェル１０内に引っ込んで、ＰＷＢ側コネクタ２１がシェル１０の外部に現れていないときの状態である。すなわち、ＰＷＢ側コネクタ２１がシェル１０に覆われた状態であり、プラグインユニット１が単体状態（例えば、シェルフ３０に搭載されない状態）の場合には、リンクバー１１は、溝２０ｂに嵌合する。
【００３２】
なお、リンクバー１１が溝２０ｂに嵌るときの状態は、ＰＷＢ側コネクタ２１がシェル１０内に引っ込んでいるので、落下等の外部からの衝撃から保護された状態である（以下、この状態を初期状態と呼ぶ）。なお、図７では、ピンｐ２が溝２０ａに嵌って、ＰＷＢ側コネクタ２１をシェル１０から露出させているときの状態を示している。
【００３３】
図８、図９はプラグインユニットの初期状態を示す図である。図８は初期状態時のプラグインユニット１の側面を示しており、図９は図８の内部構造を示している。いずれの図もＰＷＢ側コネクタ２１が、シェル１０内に引っ込んで、シェル１０で覆われている状態を示している。
【００３４】
図９において、リンクバー１１が溝２０ｂに入り込んでおり、ＰＷＢ２０は、ＰＷＢ側コネクタ２１がシェル１０内に覆われる箇所で位置決めされている。
このように、初期状態では、ＢＷＢ側コネクタ３１へ嵌合するＰＷＢ側コネクタ２１が、シェル１０の内部に引っ込んで覆われることになり、ＰＷＢ側コネクタ２１は、外部に表出せずに完全に保護された状態となる。したがって、この状態で落下させても、最初にシェル１０が衝撃を受ける状態となっており、ＰＷＢ側コネクタ２１への直接的な衝撃は印加されない。
【００３５】
以上説明したように、プラグインユニット１において、シェル１０は、ＰＷＢ２０に実装されているＰＷＢ側コネクタ２１に対して、プラグインユニット１がシェルフ３０に挿入される場合には、ＰＷＢ側コネクタ２１を露出させる。また、プラグインユニット１が単体状態（例えば、シェルフ３０に搭載されない状態）の場合では、ＰＷＢ側コネクタ２１を内部に引っ込ませて覆う構成とした。
【００３６】
これにより、ＰＷＢ側コネクタ２１、およびＰＷＢ２０とＰＷＢ側コネクタ２１との接合部分であるコネクタ部を、落下等の衝撃から保護することが可能になる。
次にカードレバー１２の操作にもとづく動作について説明する。リンクバー１１は、カードレバー１２に連動しており、カードレバー１２が操作されることにより、リンクバー１１の上記に示した溝２０ａ、２０ｂへの嵌合動作が実現される。
【００３７】
図１０、図１１はカードレバーを上げてリンクバーを持ち上げた状態を示す図である。図１０はプラグインユニット１が初期状態のときに、カードレバー１２を上げてリンクバー１１を持ち上げたときの状態を示しており、図１１は図１０の内部構造を示している。
【００３８】
リンクバー１１は、カードレバー１２に連動しており、カードレバー１２を上げることで、リンクバー１１のピンｐ１が、シェル１０の側面に形成されている誘導レール１３に沿って持ち上がり、リンクバー１１の先端が溝２０ｂから離れる。
【００３９】
図１２はリンクバーが溝から離れた状態を示す図である。カードレバー１２を上げてリンクバー１１が持ち上がると、リンクバー１１のピンｐ１が誘導レール１３に沿って上方へスライドし、リンクバー１１のピンｐ２が溝２０ｂから離れることになる。
【００４０】
図１３〜図１８はプラグインユニットのシェルフへの挿入状態を示す図である。図１３、図１４はシェルフ３０内へプラグインユニット１が挿入するときの状態を示している。図１５〜図１８はシェルフ３０内へプラグインユニット１が挿入するときのプラグインユニット１の内部構造を示している。
【００４１】
シェルフ３０のプラグインユニット１の挿入口には、突起部（ひさし）３３が設けられている。カードレバー１２が下がったプラグインユニット１の初期状態で、プラグインユニット１をシェルフ３０に挿入しようとすると、ひさし３３にカードレバー１２がぶつかるので、プラグインユニット１はシェルフ３０内に入らない。
【００４２】
したがって、シェルフ３０にプラグインユニット１を挿入するときには、カードレバー１２を上げて、シェルフ３０のひさし３３にカードレバー１２がぶつからない状態で挿入する。プラグインユニット１は、その後、シェルフ３０に設けられたスロットレール３２に沿って、ＢＷＢ３０ａに向かってスライド挿入される。
【００４３】
ここで、図１８ではフロントパネル２２を押して、シェル１０内部のＰＷＢ２０がＰＷＢ可動溝１４に沿ってＢＷＢ３０ａ方向（挿入方向）へ移動させている状態を示している。ＰＷＢ２０は、リンクバー１１が上がっている状態のため、シェル１０内を移動が可能である。したがって、プラグインユニット１のシェルフ３０への搭載時には、ＰＷＢ２０は、リンクバー１１のピンｐ２がＰＷＢ２０に突き当たる位置Ｐａまで移動することができる。
【００４４】
図１９はシェル内のＰＷＢの移動の状態を示す図である。ＰＷＢ２０の前端部に取り付けられているフロントパネル２２をユーザが押すことで、ＰＷＢ２０がＰＷＢ可動溝１４に沿ってシェル１０内を挿入方向（図の右側）へ移動する。
【００４５】
ＰＷＢ２０は、リンクバー１１のピンｐ２がＰＷＢ２０に突き当たる位置Ｐａまで移動するので、リンクバー１１のピンｐ２の下りる位置が溝２０ｂから溝２０ａへ移ることになる。
【００４６】
逆に、図には示していないが、リンクバー１１がＰＷＢ２０と離れている状態のときに、ＰＷＢ２０の前端部に取り付けられているフロントパネル２２をユーザが引いた場合は、ＰＷＢ２０はＰＷＢ可動溝１４に沿ってシェル１０内を挿入方向とは反対方向（図の左側）へ移動する。
【００４７】
すると、リンクバー１１のピンｐ２が溝２０ｂに嵌合する位置に、ＰＷＢ２０が移動するので、リンクバー１１のピンｐ２の嵌る位置が溝２０ａから溝２０ｂへ移ることになる。
【００４８】
次にフローチャートを用いて説明する。図２０はＰＷＢ側コネクタをシェルから突出させる場合の動作を示すフローチャートである。プラグインユニット１は、最初、初期状態にあるとする。
【００４９】
〔Ｓ１〕ユーザは、カードレバー１２を上げる。
〔Ｓ１ａ〕リンクバー１１は、カードレバー１２に連動して、誘導レール１３に沿って上方へスライドし、ＰＷＢ２０の溝２０ｂに嵌合していたリンクバー１１の先端が、ＰＷＢ２０から離れる。
【００５０】
〔Ｓ２〕ユーザは、ＰＷＢ２０のフロントパネル２２を押して、シェル１０内でスライドさせる。
〔Ｓ２ａ〕ＰＷＢ２０は、リンクバー１１の先端がＰＷＢ２０に突き当たる位置Ｐａまで移動する。
【００５１】
〔Ｓ３〕ユーザは、カードレバー１２を下げる。
〔Ｓ３ａ〕リンクバー１１は、カードレバー１２に連動して、誘導レール１３に沿って下方へスライドし、リンクバー１１の先端がＰＷＢ２０の溝２０ａに嵌合する。
【００５２】
〔Ｓ３ｂ〕ＰＷＢ２０は、ＰＷＢ側コネクタ２１がシェル１０から突出した状態で、シェル１０内で固定する。
図２１はＰＷＢ側コネクタをシェル内に収める場合の動作を示すフローチャートである。プラグインユニット１は、最初、ＰＷＢ側コネクタ２１がシェル１０から突出した状態にあるとする。
【００５３】
〔Ｓ１１〕ユーザは、カードレバー１２を上げる。
〔Ｓ１１ａ〕リンクバー１１は、カードレバー１２に連動して、誘導レール１３に沿って上方へスライドし、ＰＷＢ２０の溝２０ａに嵌合していたリンクバー１１の先端が、ＰＷＢ２０から離れる。
【００５４】
〔Ｓ１２〕ユーザは、ＰＷＢ２０のフロントパネル２２を手前に引いて、シェル１０内でスライドさせる。
〔Ｓ１２ａ〕ＰＷＢ２０は、リンクバー１１の先端が溝２０ｂに嵌合する位置まで移動する。
【００５５】
〔Ｓ１３〕ユーザは、カードレバー１２を下げる。
〔Ｓ１３ａ〕リンクバー１１は、カードレバー１２に連動して、誘導レール１３に沿って下方へスライドし、リンクバー１１の先端がＰＷＢ２０の溝２０ｂに嵌合する。
【００５６】
〔Ｓ１３ｂ〕ＰＷＢ２０は、ＰＷＢ側コネクタ２１がシェル１０内に収まった状態で、シェル１０内で固定する。
以上説明したように、シェル１０内で、ＰＷＢ２０をスライドさせて、リンクバー１１の嵌合位置が調整され、カードレバー１２の操作により、カードレバー１２に連動してリンクバー１１がＰＷＢ２０の所定の溝に嵌合する構成とした。
【００５７】
このような機構により、ユーザは、ＰＷＢ側コネクタ２１をシェル１０から突出させたり、またはシェル１０内に収めたりする動作を容易に行うことができる。また、プラグインユニット１が単体状態のときは、ＰＷＢ側コネクタ２１を、シェル１０の内部に収めることができるので、外部衝撃からコネクタ部を保護することが可能になる。
【００５８】
次にプラグインユニット１のシェルフ３０への搭載時のコネクタ嵌合について説明する。図２２はコネクタ嵌合する前の状態を示す図である。プラグインユニット１のシェルフ３０の挿入時における、ＰＷＢ側コネクタ２１とＢＷＢ側コネクタ３１とが嵌合する手前の状態を示している。
【００５９】
ＰＷＢ２０のフロントパネル２２を手で押すことで、ＢＷＢ側コネクタ３１の端子（プラグ）に対して、ＰＷＢ側コネクタ２１のレセプタクルハウジングが入り込む。なお、コネクタの嵌合力は強いため、最終的に嵌合させる際には、カードレバー１２を使って嵌合させて、プラグインユニット１をシェルフ３０へ挿入することになる。
【００６０】
図２３はコネクタ嵌合時のカードレバーの状態を示す図である。シェルフ３０に対して、カードレバー１２を上げた状態でプラグインユニット１を挿入し、図２２に示したような、ＰＷＢ側コネクタ２１とＢＷＢ側コネクタ３１とが嵌合する手前の状態まで、プラグインユニット１がシェルフ３０内をスライドしたとする。
【００６１】
ここで、カードレバー１２を降ろしていくと、リンクバー１１は、誘導レール１３に沿って動き、溝２０ａに入り込む。また、カードレバー１２の上方の突起部１２ａがシェルフ３０のひさし３３に引っかかって、ひさし３３が梃子の支点となる。
【００６２】
この状態でさらにカードレバー１２を降ろすことで、プラグインユニット１全体をＢＷＢ３０ａ方向へ容易に押し込むことができ、最終的にＰＷＢ側コネクタ２１とＢＷＢ側コネクタ３１とが完全に嵌合することができる。なお、図２４、図２５にプラグインユニット１がＢＷＢ３０ａに嵌合したときの状態を示す。
【００６３】
以上説明したように、プラグインユニット１では、ＰＷＢ側コネクタ２１が実装されたＰＷＢ２０を収容するシェル１０を備え、シェル１０は、自ユニットがシェルフ３０への挿入時にはＰＷＢ側コネクタ２１を露出し、単体状態ではＰＷＢ側コネクタ２１を覆う構成とした。
【００６４】
これにより、プラグインユニット１の落下時のＰＷＢ側コネクタ２１の破損を抑制することが可能になる。また、顧客要求の落下試験規格を満足することができ、顧客の取り扱い性を向上させることが可能になる。
【００６５】
以上、実施の形態を例示したが、実施の形態で示した各部の構成は同様の機能を有する他のものに置換することができる。また、他の任意の構成物や工程が付加されてもよい。
【符号の説明】
【００６６】
１  プラグインユニット
１０  シェル
１１  リンクバー
１２  カードレバー
１３  誘導レール
２２  フロントパネル
【図１】
0005742511.tif 000002
【図２】
0005742511.tif 000003
【図３】
0005742511.tif 000004
【図４】
0005742511.tif 000005
【図５】
0005742511.tif 000006
【図６】
0005742511.tif 000007
【図７】
0005742511.tif 000008
【図８】
0005742511.tif 000009
【図９】
0005742511.tif 000010
【図１０】
0005742511.tif 000011
【図１１】
0005742511.tif 000012
【図１２】
0005742511.tif 000013
【図１３】
0005742511.tif 000014
【図１４】
0005742511.tif 000015
【図１５】
0005742511.tif 000016
【図１６】
0005742511.tif 000017
【図１７】
0005742511.tif 000018
【図１８】
0005742511.tif 000019
【図１９】
0005742511.tif 000020
【図２０】
0005742511.tif 000021
【図２１】
0005742511.tif 000022
【図２２】
0005742511.tif 000023
【図２３】
0005742511.tif 000024
【図２４】
0005742511.tif 000025
【図２５】
0005742511.tif 000026